(57)【要約】【課題】家屋への不法侵入等の発生時に十分に効果的な抑止力を発揮することが可能な警備装置および警備システムを提供する。【解決手段】警報報知用のスピーカ４５を備え、窓２０の開放を検知した際にスピーカ４５から警報音Ｎ１を報知するマグネットセンサ３０を含んで警備システム１００を構成する。窓２０に設置されているマグネットセンサ３０のスピーカ４５から報知された警報音Ｎ１は利用者宅１０の周辺まで広く及ぶため、窓２０を開けて利用者宅１０へ不法侵入しようとする侵入者に対して直接かつ効果的な威嚇となる。しかも、コントローラボックス６０が警報モードに移行していることを確認した上でマグネットセンサ３０が警報音Ｎ１を報知するため、コントローラボックス６０が非警報モードに移行しているにもかかわらず、意図せずに警報音Ｎ１が報知されることがない。【選択図】    図２
2004280557.tif 000002
【特許請求の範囲】
【請求項１】
異常を検知する検知手段と、
この検知手段により異常が検知されたときに、警報モードにあるか否かを確認する確認手段と、
この確認手段により警報モードにある旨が確認されたときに、警報を報知する報知手段と
を備えたことを特徴とする警備装置。
【請求項２】
前記検知手段が、扉または窓の開放、あるいは所定の区域への侵入を含む異常を検知する
ことを特徴とする請求項１記載の警備装置。
【請求項３】
前記確認手段が、警報モードにあるか否かを外部に問い合わせたのち、外部から警報モードにある旨が通知されたときに、その旨を確認する
ことを特徴とする請求項１または請求項２に記載の警備装置。
【請求項４】
前記確認手段が、警報モードにあるか否かを外部に問い合わせたのちに、所定の期間に渡って通知の待ち受け状態となる
ことを特徴とする請求項３記載の警備装置。
【請求項５】
前記確認手段が、外部からの通知の待ち受け状態にあり、外部から非警報モードから警報モードに移行した旨が通知されたときに、その旨を確認する
ことを特徴とする請求項１または請求項２に記載の警備装置。
【請求項６】
前記報知手段が、外部から警報の報知を中止する旨が通知されたときに、警報の報知を中止する
ことを特徴とする請求項１ないし請求項５のいずれか１項に記載の警備装置。
【請求項７】
請求項１ないし請求項６のいずれか１項に記載した警備装置と、この警備装置を管理する管理装置とを含み、これらの警備装置と管理装置とが相互に通信可能な警備システムであって、
前記警備装置が、異常を検知したときに警報モードにあるか否かを確認し、前記管理装置からの通知に基づいて警報モードにある旨を確認したときに警報を報知し、
前記管理装置が、警報モードにある旨、または非警報モードから警報モードに移行した旨を前記警備装置に通知する
ことを特徴とする警備システム。
【発明の詳細な説明】
【０００１】
【発明の属する技術分野】
本発明は、例えば不法侵入などの異常を検知する警備装置ならびにこの警備装置を利用した警備システムに関する。
【０００２】
【従来の技術】
近年、家屋への不法侵入などの異常を検知して防犯上の対策（例えば警備員の出動要請等）を実行するホームセキュリティサービスが広く普及している。このホームセキュリティサービスにおいて使用されている警備システムとしては、例えば、窓の開閉状態を監視するためのマグネットセンサと、家屋内に設置されたセンサ管理用のコントローラボックスとを含み、無線方式または有線方式でマグネットセンサからコントローラボックスに一方向的に通信可能なものが知られている。マグネットセンサは、磁界の作用を利用したリードスイッチの開閉機構に基づいて窓の開放を検知するものである。コントローラボックスは、マグネットセンサによる監視結果に基づいて防犯上の対策を実行するものであり、警報報知用のスピーカを備えている。このコントローラボックスの動作モードは、ホームセキュリティサービスを利用する利用者の操作に応じて、警報を報知する警報モード、または警報を報知しない非警報モードに切り替え可能になっている。
【０００３】
この警備システムでは、コントローラボックスが警報モードに移行している状態において、マグネットセンサが窓の開放を検知してコントローラボックスに異常検知信号を送信すると、その異常検知信号を受信したコントローラボックスが家屋への不法侵入が発生したものと判断し、侵入者を威嚇する目的で警報音を報知すると共に、警備員の出動を要請するために外部の監視センタに通報する。
【０００４】
この種の警備システムに関しては、既にいくつかの具体例が知られており、例えば、コントローラボックスが非警報モードに移行している場合に、マグネットセンサからコントローラボックスに異常検知信号が送信される回数を減らすことにより、その異常検知信号の送信動作に基づくマグネットセンサの電力消費を低減させる技術が知られている（例えば、特許文献１参照。）。
【０００５】
【特許文献１】
特開平１１−１１０６６８号公報
【０００６】
【発明が解決しようとする課題】
ところで、ホームセキュリティサービスにおいて家屋への不法侵入などを抑制するためには、例えば、不法侵入等の発生時に可能な限り効果的な抑止力を発揮する必要がある。この点に関して、マグネットセンサを利用した従来の警備システムには、未だ改良の余地があると言える。
【０００７】
本発明はかかる問題点に鑑みてなされたもので、その目的は、家屋への不法侵入等の発生時に十分に効果的な抑止力を発揮することが可能な警備装置および警備システムを提供することにある。
【０００８】
【課題を解決するための手段】
本発明に係る警備装置は、異常を検知する検知手段と、この検知手段により異常が検知されたときに、警報モードにあるか否かを確認する確認手段と、この確認手段により警報モードにある旨が確認されたときに、警報を報知する報知手段とを備えるようにしたものである。
【０００９】
本発明に係る警備システムは、本発明の警備装置と、この警備装置を管理する管理装置とを含み、これらの警備装置と管理装置とが相互に通信可能なものであり、警備装置が、異常を検知したときに警報モードにあるか否かを確認し、管理装置からの通知に基づいて警報モードにある旨を確認したときに警報を報知し、管理装置が、警報モードにある旨、または非警報モードから警報モードに移行した旨を警備装置に通知するようにしたものである。
【００１０】
本発明に係る警備装置または警備システムでは、警備装置が、異常を検知したのちに警報モードにある旨を確認すると、警報を報知する。
【００１１】
【発明の実施の形態】
以下、本発明の実施の形態について、図面を参照して詳細に説明する。
【００１２】
［第１の実施の形態］
まず、図１および図２を参照して、本発明の第１の実施の形態に係る警備システムの構成について説明する。図１および図２は警備システム１００の概略構成を表しており、図１は異常検知前の状態、図２は異常検知時の状態をそれぞれ示している。なお、本発明の警備装置は警備システムの一構成要素であるため、以下で併せて説明する。
【００１３】
この警備システム１００は、ホームセキュリティサービスを提供するために利用されるものであり、図１に示したように、ホームセキュリティサービスを利用する利用者の利用者宅１０に設置され、無線方式で相互に通信可能なマグネットセンサ３０（警備装置）とコントローラボックス６０（管理装置）とを含んで構成されている。このコントローラボックス６０は、例えば電話回線などの通信線７０を介して、利用者宅１０から離れた場所に位置する監視センタ８０と接続されている。監視センタ８０は、警備システム１００を統括的に管理するための拠点であり、この監視センタ８０には、異常発生時に利用者宅１０へ出動するために警備員等が駐在している。
【００１４】
マグネットセンサ３０は、警備上の異常として不法侵入を検知するために利用されるものであり、例えば、利用者宅１０に設置されている窓２０の開閉状態を監視するためのものである。このマグネットセンサ３０は、例えば、窓２０の開放を検知するための２つのセンサ部品として、窓枠２１に取り付けられたリードスイッチ部４０と、窓ガラス２２に取り付けられたマグネット部５０とを含んで構成されている。リードスイッチ部４０は、警報音Ｎ１を報知するためのスピーカ４５を備えている。
【００１５】
コントローラボックス６０は、マグネットセンサ３０を管理するためのものであり、例えば、利用者宅１０内の居間や台所などの公共スペースに設置されている。このコントローラボックス６０は、例えば、利用者が操作可能な複数の操作ボタン（外出ボタン６４，在宅ボタン６５，停止ボタン６６）と、警報音Ｎ２を報知するためのスピーカ６７とを備えている。外出ボタン６４および在宅ボタン６５は、コントローラボックス６０の動作モードを切り替えるためのものであり、外出ボタン６４は非警報モードから警報モードへの切り替え、在宅ボタン６５は警報モードから非警報モードへの切り替えを行うためのものである。停止ボタン６６は、警報音Ｎ１，Ｎ２の報知を停止させるためのものであり、例えば、所定の暗証番号を入力したのちに操作可能になっている。
【００１６】
次に、図１〜図３を参照して、警備システム１００の詳細な構成について説明する。図３は、警備システム１００のブロック構成を表している。
【００１７】
マグネットセンサ３０のリードスイッチ部４０は、例えばプラスチック製のボディ４１の内部に、マグネットセンサ３０全体の動作を制御するＣＰＵ（Ｃｅｎｔｒａｌ  Ｐｒｏｃｅｓｓｉｎｇ  Ｕｎｉｔ  ）４２と、窓２０の開放を検知するために利用されるリードスイッチ４３と、時間計測用のタイマ４４とを備えている。このボディ４１の一面には、上記したスピーカ４５が取り付けられている。一方、マグネット部５０は、例えばプラスチック製のボディ５１の内部に、磁界発生用の永久磁石５２を備えている。このマグネットセンサ３０は、異常検知時に、コントローラボックス６０に問合信号Ｓ１を送信するようになっている。
【００１８】
ＣＰＵ４２による窓２０の開放検知原理は、以下の通りである。すなわち、図１に示したように、窓ガラス２２が閉まっている状態では、リードスイッチ部４０とマグネット部５０とが互いに近接しており、永久磁石５２が発生させる磁界の作用を利用してリードスイッチ４３の接点（図示せず）が閉まっている。ところが、図２に示したように、窓ガラス２２が開くと、永久磁石５２がリードスイッチ４３から遠ざかり、その永久磁石５２からリードスイッチ４３に働いていた磁界の作用が弱まるため、リードスイッチ４３の接点が開く。したがって、ＣＰＵ４２がリードスイッチ４３の接点の開閉状態を監視することにより、窓２０の開放を検知することが可能になるのである。
【００１９】
コントローラボックス６０は、例えばプラスチック製のボディ６１の内部に、コントローラボックス６０全体の動作を制御するＣＰＵ６２と、各種情報を記憶するためのメモリ６３とを備えている。このボディ６１の一面には、上記した外出ボタン６４、在宅ボタン６５、停止ボタン６６およびスピーカ６７が取り付けられている。メモリ６３は、例えば、ＲＡＭ（Ｒａｎｄｏｍ  Ａｃｃｅｓｓ  Ｍｅｍｏｒｙ）などの記憶デバイスにより構成されており、警備システム１００の稼働状況に関する情報、具体的にはコントローラボックス６０の警報報知履歴や監視センタ８０への通報履歴などを蓄積するものである。このコントローラボックス６０は、異常検知時に、マグネットセンサ３０に警報信号Ｓ２、停止信号Ｓ３、非警報信号Ｓ４を送信するようになっている。
【００２０】
次に、図１〜図５を参照して、警備システム１００の動作について説明する。図４および図５は警備システム１００の動作の流れを説明するためのものであり、（Ａ）はマグネットセンサ３０のＣＰＵ４２の動作の流れ、（Ｂ）はコントローラボックス６０のＣＰＵ６２の動作の流れをそれぞれ示している。なお、図中、（Ａ），（Ｂ）間に示した矢印は、ＣＰＵ４２とＣＰＵ６２との間で送受信される信号を表している。
【００２１】
この警備システム１００では、図１に示したように、利用者宅１０が留守で窓２０が閉まっており、外出する際に利用者が外出ボタン６４を押したためにコントローラボックス６０が警報モードに移行している状態において、図２に示したように、窓２０が開くと、まず、ＣＰＵ４２がリードスイッチ４３の接点の開閉状態に基づいて窓２０の開放を検知し（ステップＳ１０１）、警報モードにあるか否かを問い合わせる旨の問合信号Ｓ１をコントローラボックス６０に送信したのち（ステップＳ１０２）、タイマ４４を利用して問合信号Ｓ１の送信後の時間経過（待ち受け期間）を計測する（ステップＳ１０３）。こののち、ＣＰＵ４２は、待ち受け期間（例えば３０秒間）に渡って警報信号Ｓ２（または非警報信号Ｓ４）の待ち受け状態となる（ステップＳ１０４）。
【００２２】
続いて、ＣＰＵ６２が問合信号Ｓ１を受信すると、警報モードにあるか否かを確認したのち（ステップＳ２０１）、利用者が外出ボタン６４を押したために警報モードに移行していることを確認すると、警報モードにある旨の警報信号Ｓ２をマグネットセンサ３０に送信する（ステップＳ２０２）。
【００２３】
続いて、ＣＰＵ４２が待ち受け期間内に警報信号Ｓ２を受信すると（ステップＳ１０４Ｙ）、利用者以外の第三者が窓２０を開けて利用者宅１０に不法侵入しようとしているものと判断し、侵入者を威嚇するためにスピーカ４５から警報音Ｎ１を報知する（ステップＳ１０５）。こののち、ＣＰＵ４２は、停止信号Ｓ３の待ち受け状態となる（ステップＳ１０６）。この際、ＣＰＵ４２による警報音Ｎ１の報知処理と並行して、マグネットセンサ３０に警報信号Ｓ２を送信したＣＰＵ６２がスピーカ６７から警報音Ｎ２を報知すると共に（ステップＳ２０３）、通信線７０を介して監視センタ８０に異常が発生した旨を通報し、警備員の出動を要請する（ステップＳ２０４）。こののち、ＣＰＵ６２は、停止ボタン６６の操作待ち状態となる（ステップＳ２０５）。
【００２４】
続いて、コントローラボックス６０からの通報に応じて監視センタ８０から利用者宅１０に警備員が到着して安全を確認したのち、その警備員が暗証番号を入力した上で停止ボタン６６を押すと（ステップＳ２０５Ｙ）、ＣＰＵ６２が警報音Ｎ２の報知を中止すると共に（ステップＳ２０６）、警報音Ｎ１の報知を中止する旨の停止信号Ｓ３をマグネットセンサ３０に送信する（ステップＳ２０７）。
【００２５】
最後に、ＣＰＵ４２が停止信号Ｓ３を受信すると（ステップＳ１０６Ｙ）、利用者宅１０において警備員により安全が確保されたものと判断し、警報音Ｎ１の報知を中止する（ステップＳ１０７）。なお、停止ボタン６６が押されるまでの間は、ＣＰＵ４２，６２が継続的に警報音を報知する（ステップＳ１０６Ｎ，Ｓ２０５Ｎ）。
【００２６】
ところで、利用者宅１０に利用者が在宅しており、その利用者が在宅ボタン６５を押したためにコントローラボックス６０が非警報モードに移行している状態では、ＣＰＵ６２が、警報信号Ｓ２に代えて、非警報モードにある旨の非警報信号Ｓ４をマグネットセンサ３０に送信するため（ステップＳ１０４Ｎ）、ＣＰＵ４２による報知処理やＣＰＵ６２による報知・通報処理が実行されないことは言うまでもない。
【００２７】
以上説明したように、本実施の形態に係る警備システム１００では、マグネットセンサ３０が警報報知用のスピーカ４５を備え、そのマグネットセンサ３０が窓２０の開放を検知した際にスピーカ４５から警報音Ｎ１を報知するようにしたので、コントローラボックスのみがスピーカを備え、マグネットセンサがスピーカを備えていなかった従来の場合とは異なり、スピーカ４５から報知された警報音Ｎ１が、窓２０を開けて利用者宅１０へ不法侵入しようとする侵入者に対して直接かつ効果的な威嚇となる。なぜなら、利用者宅１０内に設置されているコントローラボックス６０が警報音Ｎ２を報知しただけでは、そのコントローラボックス６０の設置環境の密閉状況（音の漏れにくさ）等によっては警報音Ｎ２が利用者宅１０の外まで届きにくいため、侵入者に対して警報音Ｎ２が実質的に威嚇の意味をなさないおそれがあるが、窓２０に設置されているマグネットセンサ３０自体が警報音Ｎ１を報知すれば、その警報音Ｎ１は利用者宅１０の周辺まで広く及ぶため、侵入者に対して警報音Ｎ１が十分に威嚇の意味をなすこととなるからである。もちろん、本実施の形態では、警報信号Ｓ２の受信の有無に基づき、コントローラボックス６０が警報モードに移行していることを確認した上でマグネットセンサ３０が警報音Ｎ１を報知するため、コントローラボックス６０が非警報モードに移行しているにもかかわらず、意図せずに警報音Ｎ１が報知されることがない。したがって、本実施の形態では、利用者宅１０への不法侵入の発生時に、警報音Ｎ１を利用して十分に効果的な抑止力を発揮することができる。
【００２８】
特に、本実施の形態では、マグネットセンサ３０がコントローラボックス６０に問合信号Ｓ１を送信したのちに待ち受け期間の間だけ警報信号Ｓ２または非警報信号Ｓ４の待ち受け状態となるようにしたので、待ち受け期間の間だけ信号を待ち受けていればよく、常に信号を待ち受けている必要がない。したがって、常に信号を待ち受けるようにした場合と比較して、その信号の待ち受けに要する期間が短くなるため、その期間の短縮分だけマグネットセンサ３０の電力消費を抑えることができる。これにより、マグネットセンサ３０が電池駆動型のものである場合には、電池消耗を抑えることができる。
【００２９】
また、本実施の形態では、コントローラボックス６０から送信される停止信号Ｓ３に基づいてマグネットセンサ３０が警報音Ｎ１の報知を中止するようにしたので、警報信号Ｓ２の誤送信等に起因してマグネットセンサ３０が誤って警報音Ｎ１を報知した場合においても、コントローラボックス６０を操作してマグネットセンサ３０に停止信号Ｓ３を送信することにより、そのマグネットセンサ３０を遠隔操作して簡便かつ速やかに警報音Ｎ１の報知を中止することができる。
【００３０】
また、本実施の形態では、窓２０の開放を検知した際に警報モードにあるか否かを確認し、警報モードにある旨を確認した際に警報音Ｎ１を報知するようにマグネットセンサ３０を構成したので、このマグネットセンサ３０を利用して本発明の警備システム１００を構築することができる。
【００３１】
なお、本実施の形態では、マグネットセンサ３０を利用者宅１０の窓２０に設置するようにしたが、必ずしもこれに限られるものではなく、窓２０と同様に開閉可能な他の物品にマグネットセンサ３０を設置するようにしてもよい。この「他の物品」としては、例えば、玄関、勝手口または車庫の扉などが挙げられる。もちろん、マグネットセンサ３０の設置個数は必ずしも１個に限らず、複数個設置するようにしてもよい。この場合においても、上記実施の形態と同様の効果を得ることができる。
【００３２】
また、本実施の形態では、マグネットセンサ３０とコントローラボックス６０とが無線方式で相互に通信するようにしたが、必ずしもこれに限られるものではなく、これらのマグネットセンサ３０とコントローラボックス６０とが有線方式で相互に通信するようにしてもよい。この場合においても、上記実施の形態と同様の効果を得ることができる。
【００３３】
また、本実施の形態では、マグネットセンサ３０の構成に関して、図３に示したように、ＣＰＵ４２、リードスイッチ４３、タイマ４４およびスピーカ４５を１つのボディ４１に搭載するようにリードスイッチ部４０を構成したが、必ずしもこれに限られるものではなく、リードスイッチ部４０の構成は自由に変更可能である。具体的には、例えば、図６に示したように、リードスイッチ４３と、ＣＰＵ４２およびタイマ４４と、スピーカ４５とをそれそれ別個のボディに搭載するようにしてもよい。この場合には、例えば、ボディ４１Ａにリードスイッチ４３と通信インターフェース（Ｉ／Ｆ）４６Ａとを搭載し、ボディ４１ＢにＣＰＵ４２とタイマ４４と通信Ｉ／Ｆ４６Ｂとを搭載し、ボディ４１Ｃにスピーカ４５と通信Ｉ／Ｆ４６Ｃとを搭載し、これらのリードスイッチ４３とＣＰＵ４２とスピーカ４５とが一連の通信Ｉ／Ｆ４６Ａ〜４６Ｃを介して相互に通信可能となるようにするのが好ましい。この場合においても、上記実施の形態と同様の効果を得ることができる。
【００３４】
［第２の実施の形態］
次に、図１、図２、図７および図８を参照して、本発明の第２の実施の形態について説明する。
【００３５】
図７は本実施の形態に係る警備システム２００のブロック構成を表し、図８は警備システム２００の動作の流れを説明するためのものである。なお、図７では、上記第１の実施の形態において説明した構成要素と同一の要素に、同一の符号を付している。この警備システム２００は、異常検知から警報報知までの間にマグネットセンサ３０とコントローラボックス６０との間で通信される通信手順が異なると共に、マグネットセンサ３０のリードスイッチ部４０がメモリ４７を備えている点を除き、上記第１の実施の形態において説明した警備システム１００と同様の構成を有している。
【００３６】
この警備システム２００におけるＣＰＵ４２，ＣＰＵ６２の動作の流れは、以下の通りである。すなわち、図１に示したように、利用者宅１０に利用者が在宅しており、その利用者が在宅ボタン６５を押したためにコントローラボックス６０が非警報モードに移行していると共に、メモリ４７に非警報モードにある旨を表す非警報情報Ｆ１が記憶され、マグネットセンサ３０が非警報モードに移行している状態において、まず、ＣＰＵ４２が警報信号Ｓ５の待ち受け状態になっている（ステップＳ３０１）。
【００３７】
続いて、利用者が外出ボタン６４を押して外出し、ＣＰＵ６２が非警報モードから警報モードに移行すると、そのＣＰＵ６２が非警報モードから警報モードに移行した旨の警報信号Ｓ５をマグネットセンサ３０に送信する（ステップＳ４０１）。こののち、ＣＰＵ６２は、報知信号Ｓ６の待ち受け状態となる（ステップＳ４０２）。
【００３８】
続いて、ＣＰＵ４２が警報信号Ｓ５を受信すると（ステップＳ３０１Ｙ）、メモリ４７に記憶されていた非警報情報Ｆ１を警報情報Ｆ２に書き換え（ステップＳ３０２）、非警報モードから警報モードに移行した上で、窓２０の開放検知状態となる（ステップＳ３０３）。なお、警報信号Ｓ５を受信するまでの間は、ＣＰＵ４２が継続的に警報信号Ｓ５の待ち受け状態でいる（ステップＳ３０１Ｎ）。
【００３９】
続いて、図２に示したように、ＣＰＵ４２が窓２０の開放を検知すると（ステップＳ３０３Ｙ）、利用者以外の第三者が窓２０を開けて利用者宅１０に不法侵入しようとしているものと判断し、侵入者を威嚇するためにスピーカ４５から警報音Ｎ１を報知すると共に（ステップＳ３０４）、警報音Ｎ１を報知した旨の報知信号Ｓ６をコントローラボックス６０に送信する（ステップＳ３０５）。なお、窓２０の開放を検知するまでの間は、ＣＰＵ４２が継続的に窓２０の開放検知状態でいる（ステップＳ３０３Ｎ）。
【００４０】
最後に、ＣＰＵ６２が報知信号Ｓ６を受信すると（ステップＳ４０２Ｙ）、スピーカ６７から警報音Ｎ２を報知すると共に（ステップＳ４０３）、監視センタ８０に異常が発生した旨を通報する（ステップＳ４０４）。なお、報知信号Ｓ６を受信するまでの間は、ＣＰＵ６２が継続的に報知信号Ｓ６の待ち受け状態でいる（ステップＳ４０２Ｎ）。
【００４１】
なお、報知音Ｎ１，Ｎ２の報知後ならびに監視センタ８０への通報後の動作は上記第１の実施の形態において説明した場合と同様であるので、その説明を省略する。
【００４２】
本実施の形態に係る警備システム２００では、マグネットセンサ３０が非警報モードから警報モードに移行したのちに窓２０の開放を検知した際にスピーカ４５から警報音Ｎ１を報知するようにしたので、上記第１の実施の形態と同様の作用により、利用者宅１０への不法侵入の発生時に警報音Ｎ１を利用して十分に効果的な抑止力を発揮することができる。
【００４３】
なお、この警備システム２００に関する上記以外の構成、作用、動作、効果および変形は上記第１の実施の形態と同様であるので、その説明を省略する。
【００４４】
以上、実施の形態を挙げて本発明を説明してきたが、本発明は上記各実施の形態において説明したものに限定されるものではなく、種々の変形が可能である。
【００４５】
具体的には、例えば、上記実施の形態では、マグネットセンサがスピーカを備え、異常検知時にスピーカから警報音を報知するようにしたが、必ずしもこれに限られるものではなく、例えば、不法侵入しようとする侵入者を効果的に威嚇し得る限り、マグネットセンサによる威嚇内容は自由に変更可能である。具体的には、例えば、警報音の報知に代えて、フラッシュライトなどの警報光を発するようにしてもよい。もちろん、警報音および警報光の双方を利用することも可能である。この場合においても、上記実施の形態と同様の効果を得ることができる。
【００４６】
また、上記実施の形態では、窓の開放を検知するために利用される警備装置としてマグネットセンサに本発明を適用する場合について説明したが、必ずしもこれに限られるものではなく、マグネットセンサ以外の他の開放検知機構を有する警備装置に本発明を適用することも可能である。もちろん、本発明は、窓や扉の開放を検知するために利用される警備装置に限定されず、窓や扉の開放以外の異常を検知するために利用される他の警備装置にも適用することが可能である。この「他の警備装置」としては、例えば、所定の区域（例えば利用者宅１０内の玄関や部屋等）への不法侵入を検知するために利用される赤外線センサ、パッシブセンサ、ビームセンサ、センサーライト、シャッターセンサ、音波集音式破壊センサ、ショックセンサ、超音波センサ、マイクロ波センサなどが挙げられる。これらの場合に本発明を適用した場合においても、上記実施の形態と同様の効果を得ることができる。
【００４７】
また、上記実施の形態では、主に一般住宅を対象としたホームセキュリティサービスに本発明を適用する場合について説明したが、必ずしもこれに限られるものではなく、一般住宅以外の会社ビル、公共施設または文化遺産施設などを対象としたセキュリティサービスに本発明を適用することも可能である。
【００４８】
【発明の効果】
以上説明したように、本発明の警備装置によれば、異常を検知した際に警報モードにあるか否かを確認し、警報モードにある旨を確認したときに警報を報知するようにしたので、この警備装置を利用して本発明の警備システムを構築することができる。
【００４９】
また、本発明の警備システムによれば、警備装置が異常を検知した際に警報モードにあるか否かを確認し、管理装置からの通知に基づいて警報モードにある旨を確認した際に警報を報知するようにしたので、警備装置が警報を報知し得なかった従来の場合とは異なり、侵入者に対して警報が直接かつ効果的な威嚇となる。したがって、家屋への不法侵入等の発生時に十分に効果的な抑止力を発揮することができる。
【００５０】
上記の他、本発明の警備装置では、警報モードにあるか否かを外部に問い合わせたのちに所定の期間にわたって通知の待ち受け状態となるようにすれば、常に通知を待ち受けるようにした場合と比較して、待ち受けに要する期間が短くなるため、その期間の短縮分だけ電力消費を抑えることができる。
【００５１】
また、本発明の警備装置では、外部から警報の報知を中止する旨が通知された際に警報の報知を中止するようにすれば、遠隔操作を利用して簡便かつ速やかに警報の報知を中止することができる。
【図面の簡単な説明】
【図１】本発明の第１の実施の形態に係る警備システムの異常検知前の構成を表す図である。
【図２】図１に示した警備システムの異常検知時の構成を表す図である。
【図３】図１に示した警備システムのブロック構成を表すブロック図である。
【図４】図１に示した警備システムの動作の流れを説明するための流れ図である。
【図５】図４に続く動作の流れを説明するための流れ図である。
【図６】図３に示した警備システムの構成に関する変形例を説明するためのブロック図である。
【図７】本発明の第２の実施の形態に係る警備システムのブロック構成を表すブロック図である。
【図８】図７に示した警備システムの動作の流れを説明するための流れ図である。
【符号の説明】
１０…利用者宅、２０…窓、２１…窓枠、２２…窓ガラス、３０…マグネットセンサ、４０…リードスイッチ部、４１，４１Ａ〜４１Ｃ、５１，６１…ボディ、４２，６２…ＣＰＵ、４３…リードスイッチ、４４…タイマ、４５，６７…スピーカ、４６Ａ〜４６Ｃ…通信Ｉ／Ｆ、４７，６３…メモリ、５０…マグネット部、５２…永久磁石、６０…コントローラボックス、６４…外出ボタン、６５…在宅ボタン、６６…停止ボタン、７０…通信線、８０…監視センタ、１００，２００…警備システム、Ｎ１，Ｎ２…警報音、Ｓ１…問合信号、Ｓ２，Ｓ５…警報信号、Ｓ３…停止信号、Ｓ４…非警報信号、Ｓ６…報知信号。
【図１】
2004280557.tif 000003
【図２】
2004280557.tif 000004
【図３】
2004280557.tif 000005
【図４】
2004280557.tif 000006
【図５】
2004280557.tif 000007
【図６】
2004280557.tif 000008
【図７】
2004280557.tif 000009
【図８】
2004280557.tif 000010